(57)【要約】【課題】キー自体を視認可能にするための発光部品を新たに実装する必要なく、暗い場所でもキー入力操作を継続して行うことが可能な電子機器を提供する。【解決手段】照度検出部により検出される周辺環境の明るさがキー入力部の各キートップが見えなくなる明るさ（第１の照度レベル）まで低下すると、そのときの動作状況に応じて必要な種類のキーを配列したソフトキー（検索語入力画面Ｇａの表示動作中は文字入力用のキーボードＫａ）がバックライト付きのタッチパネル式表示部１６に表示される。【選択図】      図４
2012033027.tif 000002
【特許請求の範囲】
【請求項１】
バックライト付きのタッチパネル式表示部と、
キー入力部と、
前記キー入力部の周辺の照度を検出する照度検出部と、
前記照度検出部により検出される照度が予め設定されたレベルまで低下したときに、前記タッチパネル式表示部にソフトキーを表示させるキー表示制御手段と、
を備えたことを特徴とする電子機器。
【請求項２】
前記キー表示制御手段は、
前記照度検出部により検出される照度が予め設定されたレベルまで低下したときに、機器本体の動作状態を判断する動作状態判断手段を有し、
この動作状態判断手段により判断された機器本体の動作状態に応じた内容のキーを配列したソフトキーを前記タッチパネル式表示部に表示させる、
ことを特徴とする請求項１に記載の電子機器。
【請求項３】
前記キー表示制御手段は、前記照度検出部により検出される照度が予め設定された第１のレベルまで低下したときに、前記タッチパネル式表示部にソフトキーを表示させる第１のキー表示制御手段であって、
前記照度検出部により検出される照度が前記第１のレベルよりも明るい第２のレベルまで低下したときに、前記タッチパネル式表示部に確認メッセージを表示させるメッセージ表示制御手段と、
このメッセージ表示制御手段により前記タッチパネル式表示部に確認メッセージが表示された後に、ユーザ操作に応じて同タッチパネル式表示部にソフトキーを表示させる第２のキー表示制御手段と、
を備えたことを特徴とする請求項１に記載の電子機器。
【請求項４】
前記バックライト付きのタッチパネル式表示部は、メイン画面とサブ画面からなり、
前記キー表示制御手段は、前記ソフトキーを前記サブ画面に表示させることを特徴とする請求項１に記載の電子機器。
【請求項５】
バックライト付きのタッチパネル式表示部と、キー入力部と、このキー入力部の周辺の照度を検出する照度検出部とを備えた電子機器のコンピュータを制御するためのプログラムであって、
前記コンピュータを、
前記照度検出部により検出される照度が予め設定されたレベルまで低下したときに、前記タッチパネル式表示部にソフトキーを表示させるキー表示制御手段として機能させるためのプログラム。
【発明の詳細な説明】
【技術分野】
【０００１】
本発明は、バックライトを有するタッチパネル式表示部とキー入力部を備えた電子辞書装置などの電子機器およびその制御プログラムに関する。
【背景技術】
【０００２】
例えば電子辞書装置には、バックライト付の表示部を備えたものがあり、暗がりにあっても表示された内容を見ることはできる。
【０００３】
しかし、会議室などにおいてプレゼンのために部屋の照明を唐突に消された場合には、キーの判読が難しくなり、入力操作を継続できなくなってしまう。
【０００４】
そこで、キー側に同キー自体を照明する照明装置等を実装することが考えられている。
【０００５】
透光性のキー表示シートとキーユニットとの中間に蓄光性の夜光シートを介装し、同夜光シートにおける蓄光により同透光性のキー表示シートを通してキー表示を照明するようにしたハンディターミナルにおけるキーボード部が考えられている（例えば、特許文献１参照。）。
【０００６】
電子機器のタッチ入力検出エリアに貼り付けされた状態で用いられ、キートップの文字等が表記された複数個のキーを備えたキーボードシートであって、各キーの領域を蛍光材料製のキー領域区画部により区画し、暗い場所でも同キー領域区画部が発光することで、各キーの位置を正確に認識できるようにしたキーボードシートが考えられている（例えば、特許文献２参照。）。
【０００７】
また、キーボードやキートップそれ自体をバックライトにより照明するようにした電子機器も実用化されている。
【先行技術文献】
【特許文献】
【０００８】
【特許文献１】特開平０８−０９６０００号公報
【特許文献２】特開２００３−２４８５４２号公報
【発明の概要】
【発明が解決しようとする課題】
【０００９】
従来の電子機器のように、キー側に同キー自体を視認可能にする照明装置等を実装したのでは、実装部品の追加により機器本体の製造コストの上昇を招くだけでなく、実装のための面積／容積も必要になり、小型化を妨げる問題がある。
【００１０】
本発明は、このような課題に鑑みなされたもので、キー自体を視認可能にするための発光部品を新たに実装する必要なく、暗い場所でもキー入力操作を継続して行うことが可能になる電子機器およびその制御プログラムを提供することを目的とする。
【課題を解決するための手段】
【００１１】
請求項１に記載の電子機器は、バックライト付きのタッチパネル式表示部と、キー入力部と、前記キー入力部の周辺の照度を検出する照度検出部と、前記照度検出部により検出される照度が予め設定されたレベルまで低下したときに、前記タッチパネル式表示部にソフトキーを表示させるキー表示制御手段と、を備えたことを特徴としている。
【００１２】
請求項２に記載の電子機器は、前記請求項１に記載の電子機器において、前記キー表示制御手段は、前記照度検出部により検出される照度が予め設定されたレベルまで低下したときに、機器本体の動作状態を判断する動作状態判断手段を有し、この動作状態判断手段により判断された機器本体の動作状態に応じた内容のキーを配列したソフトキーを前記タッチパネル式表示部に表示させる、ことを特徴としている。
【００１３】
請求項３に記載の電子機器は、前記請求項１に記載の電子機器において、前記キー表示制御手段は、前記照度検出部により検出される照度が予め設定された第１のレベルまで低下したときに、前記タッチパネル式表示部にソフトキーを表示させる第１のキー表示制御手段であって、前記照度検出部により検出される照度が前記第１のレベルよりも明るい第２のレベルまで低下したときに、前記タッチパネル式表示部に確認メッセージを表示させるメッセージ表示制御手段と、このメッセージ表示制御手段により前記タッチパネル式表示部に確認メッセージが表示された後に、ユーザ操作に応じて同タッチパネル式表示部にソフトキーを表示させる第２のキー表示制御手段と、を備えたことを特徴としている。
【００１４】
請求項４に記載の電子機器は、前記請求項１に記載の電子機器において、前記バックライト付きのタッチパネル式表示部は、メイン画面とサブ画面からなり、前記キー表示制御手段は、前記ソフトキーを前記サブ画面に表示させることを特徴としている。
【００１５】
請求項５に記載のプログラムは、バックライト付きのタッチパネル式表示部と、キー入力部と、このキー入力部の周辺の照度を検出する照度検出部とを備えた電子機器のコンピュータを制御するためのプログラムであって、前記コンピュータを、前記照度検出部により検出される照度が予め設定されたレベルまで低下したときに、前記タッチパネル式表示部にソフトキーを表示させるキー表示制御手段として機能させることを特徴としている。
【発明の効果】
【００１６】
本発明によれば、キー自体を視認可能にするための発光部品を新たに実装する必要なく、暗い場所でもキー入力操作を継続して行うことが可能になる電子機器およびその制御プログラムを提供できる。
【図面の簡単な説明】
【００１７】
【図１】本発明の電子機器の実施形態に係る電子辞書装置１０の外観構成を示す正面図。
【図２】前記電子辞書装置１０の電子回路の構成を示すブロック図。
【図３】前記電子辞書装置１０による表示処理を示すフローチャート。
【図４】前記電子辞書装置１０の表示処理に伴い周辺環境の照度が低下したときの検索語入力画面Ｇａでのソフトキー表示動作を示す図。
【図５】前記電子辞書装置１０の表示処理に伴い周辺環境の照度が低下したときの検索結果表示画面Ｇｂでのソフトキー表示動作を示す図。
【図６】前記電子辞書装置１０の表示処理に伴い照度検出レベルが第２の照度レベル（レベル２）まで低下したときのソフトキー表示確認動作を示す図。
【図７】前記電子辞書装置１０の表示処理に伴い周辺環境の照度が低下したときの検索語入力画面Ｇａに対応した手書き入力部１５によるキーボードＫａの表示動作を示す図。
【発明を実施するための形態】
【００１８】
以下図面により本発明の実施の形態について説明する。
【００１９】
図１は、本発明の電子機器の実施形態に係る電子辞書装置１０の外観構成を示す正面図である。
【００２０】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００２１】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、「訳／決定」キー１４ｃ、「戻る」キー１４ｄ、カーソルキー１４ｅなどを備えたキー入力部（キーボード）１４、および手書き入力部（サブ画面）１５が備えられる。
【００２２】
この手書き入力部（サブ画面）１５は、ユーザがペンや指等でタッチした位置を検出するタッチ位置検出装置と表示装置が一体となった構造であり、キー入力部１４の中央手前側において例えば２５６×６４ドットのバックライト付きカラー液晶表示画面１５ｄに透明タッチパネル１５ｔを重ねて構成される。この手書き入力部１５の入力領域は、必要に応じて、手書き文字を入力するための手書き文字入力領域や各種機能のキー入力領域、あるいは当該各入力領域が混在する領域に切り替えられる。
【００２３】
そして、前記手書き入力部１５が手書き文字入力領域に切り替えられた状態での手書き入力に伴う軌跡はそのバックライト付きカラー液晶表示画面１５ｄにエコーバックして表示される。
【００２４】
また蓋体ケース１２の表面には、そのほぼ全面を対象に例えば４８０×３２０ドットのバックライト付きのタッチパネル式表示部（メイン画面）１６が設けられる。このタッチパネル式表示部（メイン画面）１６も、前記手書き入力部（サブ画面）１５と同様に、ユーザがペンや指等でタッチした位置を検出するタッチ位置検出装置と表示装置が一体となった構造であり、そのバックライト付きカラー液晶表示画面１６ｄに透明タッチパネル１６ｔを重ねて構成される。
【００２５】
なお、前記本体ケース１１のキー入力部１４と同一の面には、照度検出部（照度センサ）１７が設けられ、キー入力部１４表面の照度（明るさ）が検出される。
【００２６】
図２は、前記電子辞書装置１０の電子回路の構成を示すブロック図である。
【００２７】
この電子辞書装置１０は、各種の記憶媒体に記録されたプログラムを読み込んで、その読み込んだプログラムによって動作が制御されるコンピュータによって構成され、その電子回路には、ＣＰＵ(central processing unit)２１が備えられる。
【００２８】
ＣＰＵ２１は、主記憶装置（フラッシュＲＯＭ）２２内に予め記憶された装置制御プログラム２２ａ、あるいはＲＯＭカードなどの外部記憶媒体２３から記憶媒体読み書き部２４を介して前記主記憶装置２２に読み込まれた装置制御プログラム２２ａ、あるいはインターネットＮ上のＷｅｂサーバ（この場合はプログラムサーバ）３０から外部インターフェイス２５を介して前記主記憶装置２２に読み込まれた装置制御プログラム２２ａに応じて、ＲＡＭ２６を作業用メモリとして回路各部の動作を制御する。
【００２９】
前記主記憶装置２２に記憶された装置制御プログラム２２ａは、キー入力部１４、手書き入力部１５、タッチパネル式表示部１６からのユーザ操作に応じた入力信号、あるいは照度検出部１７からの照度検出信号、あるいは外部インターフェイス２５を介して接続されるインターネットＮ上の各Ｗｅｂサーバ３０…との通信信号に応じて起動される。
【００３０】
このように、前記ＣＰＵ２１には、前記主記憶装置２２、記憶媒体読み書き部２４、外部インターフェイス２５、ＲＡＭ２６、キー入力部１４、手書き入力部１５、タッチパネル式表示部１６、照度検出部１７が接続される。
【００３１】
主記憶装置２２には、装置制御プログラム２２ａとして、当該電子辞書装置１０の全体の動作を司るシステムプログラムや外部インターフェイス２５を介してインターネットＮ上の各Ｗｅｂサーバ３０…や図示しないユーザＰＣ(Personal Computer)などとデータ通信するための通信プログラム、電卓機能を実現するためのプログラム等が記憶される。また他に、辞書機能における見出し語検索処理、検索見出し語の一覧表示処理、カーソルＣにより指定された見出し語に対応する訳語・意味内容・例文（用例）などの各種説明情報の読み出し表示処理など、同主記憶装置２２内に記憶された辞書データベース２２ｂに基づく検索・表示処理全般を制御するための辞書検索プログラムが記憶される。
【００３２】
さらに、照度検出部１７により検出されるキー入力部１４表面の照度に応じて、その時々の動作環境に対応したソフトキーを、バックライト付きタッチパネル式表示部１６あるいはバックライト付き手書き入力部１５に表示させるためのソフトキー表示プログラムも記憶される。
【００３３】
辞書データベース２２ｂには、例えば英語の見出し語（単語）に対応付けて日本語の説明情報が記述された［英和辞書］、日本語の見出し語（単語）に対応付けて英語の説明情報が記述された［和英辞書］をはじめ、［国語辞書］［英英辞書］など、複数種類の辞書データが、予め記憶されるかあるいはダウンロードされて記憶される。
【００３４】
また、前記ＲＡＭ２６には、表示データメモリ２６ａ、照度比較データメモリ２６ｂが確保される。
【００３５】
表示データメモリ２６ａには、前記タッチパネル式表示部１６や手書き入力部１５に表示させる表示データがビットマップパターンに展開されて記憶される。
【００３６】
照度比較データメモリ２６ｂには、前記照度検出部１７から出力される照度検出信号の照度レベルに対して比較対象となる第１の照度レベル（レベル１）と第２の照度レベル（レベル２）とにそれぞれ対応するディジタル値が記憶される。
【００３７】
ここで、前記第１の照度レベル（レベル１）は、例えばキー入力部１４における各キー表記がユーザによって見えなくなる程度の明るさに相当し、また前記第２の照度レベル（レベル２）は、同キー入力部１４における各キー表記がユーザによって見難くなる程度の明るさに相当する。
【００３８】
なお、前記照度比較データメモリ２６ｂに記憶される第１の照度レベルと第２の照度レベルとにそれぞれ対応するディジタル値は、予めデフォルト設定されて記憶されるが、キー入力部１４の［シフト］キーと［設定］キーの操作に応じて起動される設定モードにおいて、照度検出部１７により実際に検出される信号のディジタル値を、ユーザ所望の明るさのときに取り込んで記憶させてもよい。
【００３９】
次に、前記構成による電子辞書装置１０のソフトキー表示機能について説明する。
【００４０】
図３は、前記電子辞書装置１０による表示処理を示すフローチャートである。
【００４１】
図４は、前記電子辞書装置１０の表示処理に伴い周辺環境の照度が低下したときの検索語入力画面Ｇａでのソフトキー表示動作を示す図である。
【００４２】
図５は、前記電子辞書装置１０の表示処理に伴い周辺環境の照度が低下したときの検索結果表示画面Ｇｂでのソフトキー表示動作を示す図である。
【００４３】
なお、この電子辞書装置１０の表示処理は、照度検出部（照度センサ）１７のＯＮ／ＯＦＦを予め設定モードにおいてユーザが設定することで、ＯＮに設定されている状態にて実行される。
【００４４】
辞書指定キー１４ｂのユーザ操作に応じて［英和辞書］が指定されると、図４（Ａ）に示すように、パックライト付きのタッチパネル式表示部１６に［英和辞書］の検索語入力画面Ｇａが表示され、文字入力キー１４ａの操作に応じて検索語が入力され表示される状態になる。
【００４５】
例えば会議中あるいは授業中に不明な英単語[consequent]の意味を検索するべく、同英単語を検索語として入力している最中に、プロジェクタ等の使用に伴い部屋の照明が消され、キー入力部１４の各キートップの文字や記号が見えない位に暗くなると、照度検出部１７から出力される照度検出信号の信号レベルが低下したと判断される（ステップＳ１（Ｙｅｓ））。
【００４６】
そして、照度検出部１７により検出された照度レベルがＲＡＭ２６内の照度比較データメモリ２６ｂに記憶されている第１の照度レベル（レベル１）まで低下したと判断される（ステップＳ２（Ｙｅｓ））。
【００４７】
すると先ず、本体ケース１１に実装されたキー入力部（キーボード）１４からのキー入力が禁止され（ステップＳ３）、電子辞書装置１０の現在の動作状況が、検索語入力画面Ｇａの表示された文字・記号の入力動作中か、または検索結果表示画面Ｇｂの表示された結果表示中か、または電卓機能の使用中かが判断される（ステップＳ４）。
【００４８】
この場合は、前記図４（Ａ）で示したように、検索語入力画面Ｇａの表示された文字・記号の入力動作中と判断され、図４（Ｂ）に示すように、同検索語入力画面Ｇａの一部の領域に重ねて、前記キー入力部１４の文字入力キー１４ａ、「訳／決定」キー１４ｃ、上下カーソルキー１４ｅに相当するキーを含むキーボードＫａが表示される（ステップＳ５ａ）。
【００４９】
そして、前記バックライト付きのタッチパネル式表示部１６における検索語入力画面Ｇａに重ねて表示されたキーボードＫａにおいて、同キーボードＫａの各文字キーをタッチすると（ステップＳ６（Ｙｅｓ））、そのタッチキーに応じた文字・記号が入力され、同検索語入力画面Ｇａの検索語として表示される（ステップＳ７）。また、同キーボードＫａの「訳・決定」キーをタッチすると（ステップＳ６（Ｙｅｓ））、同検索語入力画面Ｇａの見出し語一覧の先頭の見出し語の説明情報が、図５（Ａ）のように、検索結果として表示される（ステップＳ７）。
【００５０】
このため、周辺環境が突然暗くなってキー入力部１４の各キーが見えなくなった後も、前記検索語入力画面Ｇａにて入力途中の英単語[consequent]を引き続き入力し、その意味を表示することができる。
【００５１】
そして、電子辞書装置１０の現在の動作状況が、図５（Ａ）に示すように、バックライト付きのタッチパネル式表示部１６に検索結果表示画面Ｇｂの表示された結果表示中であると判断されると（ステップＳ４）、図５（Ｂ）に示すように、同検索結果表示画面Ｇｂの一部の領域に重ねて、「ジャンプ」キー、「←」「→」（カーソル）キー、「▽」（戻る）キー、「△」（進む）キーを配列した検索結果操作キーＫｂが表示される（ステップＳ５ｂ）。
【００５２】
そして、前記バックライト付きのタッチパネル式表示部１６における検索結果表示画面Ｇｂに重ねて表示された検索結果操作キーＫｂにおいて、同操作キーＫｂの各キーをタッチすると（ステップＳ６（Ｙｅｓ））、そのタッチキーに応じたジャンプ辞書検索処理や画面スクロール処理などが実行されて表示される（ステップＳ７）。
【００５３】
このため、周辺環境が突然暗くなってキー入力部１４の各キーが見えなくなった後も、前記検索結果表示画面Ｇｂに基づく各種の操作を引き続き行うことができる。なお、明るい部屋の中で当該電子辞書を使用し、図５（Ａ）のように辞書検索結果を表示しているときに、突然照度がレベル１まで低下した場合にも、キーボードの入力が禁止され、図５（Ｂ）の表示に移行する（ステップＳ１〜Ｓ５ｂ）。
【００５４】
一方、電子辞書に備えられた電卓機能を実行中に照度低下が検出された場合は、前記同様に照度検出部１７から出力される照度検出信号の信号レベルが第１の照度レベル（レベル１）まで低下したと判断されると、キー入力部（キーボード）１４からのキー入力が禁止され（ステップＳ１〜Ｓ３）、電子辞書装置１０の現在の動作状況が、電卓機能の使用中であると判断されて（ステップＳ４）、同電卓画面の一部の領域に重ねて、テンキーおよび演算用キーを配列した計算機キーが表示される（ステップＳ５ｃ）。
【００５５】
そして、前記バックライト付きのタッチパネル式表示部１６における電卓画面に重ねて表示された計算機キーにおいて、同計算機キーの各キーをタッチすると（ステップＳ６（Ｙｅｓ））、そのタッチキーに応じた計算処理が実行されて表示される（ステップＳ７）。
【００５６】
このため、周辺環境が突然暗くなってキー入力部１４の各キーが見えなくなった後も、前記電卓画面に基づく各種の計算処理を引き続き行うことができる。
【００５７】
なお、前記照度検出部１７により検出される照度レベルが第１の照度レベル（レベル１）まで低下し、バックライト付きのタッチパネル式表示部１６に対して、検索語入力画面Ｇａの一部の領域に重ねてキーボードＫａが表示された状態（図４（Ｂ）参照）（ステップＳ５ａ）、または検索結果表示画面Ｇｂの一部の領域に重ねて検索結果操作キーＫｂが表示された状態（図５（Ｂ）参照）（ステップＳ５ｂ）、または電卓画面の一部の領域に重ねて計算機キーが表示された状態で（ステップＳ５ｃ）、前記照度レベルが回復して一定の照度レベル（レベル２より明るいレベル）より明るくなったと判断されると（ステップＳ８（Ｙｅｓ））、前記本体ケース１１に実装されたキー入力部（キーボード）１４からのキー入力が許可される（ステップＳ９）。
【００５８】
そして、前記各動作状況に応じて表示されたソフトキー（キーボードＫａ／検索結果操作キーＫｂ／計算機キー）は消去され（ステップＳ１０）、これ以降、前記キー入力部１４のユーザ操作に応じて所望の処理が継続的に実行される。
【００５９】
次に、周囲の明るさが徐々に低下した場合の動作を説明する。図６は、前記電子辞書装置１０の表示処理に伴い照度検出レベルが第２の照度レベル（レベル２）まで低下したときのソフトキー表示確認動作を示す図である。
【００６０】
例えば図６（Ａ）に示すように、バックライト付きのタッチパネル式表示部１６に［英和辞書］の検索語入力画面Ｇａが表示された状態でのキー入力部１４による検索語の入力操作中にあって、キー入力部１４の各キートップの文字や記号が見難くなる程度に暗くなると、照度検出部１７から出力される照度検出信号の信号レベルが低下したと判断される（ステップＳ１（Ｙｅｓ））。
【００６１】
そして、照度検出部１７により検出された照度レベルがＲＡＭ２６内の照度比較データメモリ２６ｂに記憶されている第２の照度レベル（レベル２）まで低下したと判断される（ステップＳ１１（Ｙｅｓ））。
【００６２】
すると、図６（Ｂ）に示すように、前記キー入力部１４に替えたソフトキー（この場合は、キーボードＫａ）の表示を実施するか否かのユーザ判断を促す確認メッセージ「周りが暗くなりました。表示部にキーを表示しますか？」を記述したメッセージウインドウＷｍが前記検索語入力画面Ｇａに重ねて表示される（ステップＳ１２）。
【００６３】
このメッセージウインドウＷｍにおいて、「はい」Ｙがタッチされると（ステップＳ１３（Ｙｅｓ））、前記ステップＳ３からの処理に移行され、前記同様に、キー入力部（キーボード）１４からのキー入力が禁止されると共に（ステップＳ３）、検索語入力画面Ｇａの一部の領域に重ねて、キー入力部１４の文字入力キー１４ａに相当するキーボードＫａが表示される（ステップＳ４，Ｓ５ａ）。
【００６４】
このため、周辺環境が次第に暗くなりキー入力部１４の各キーが見難くなってきたときにも、前記検索語入力画面Ｇａにて入力途中の検索語である英単語[consequent]を、前記キーボードＫａをタッチ操作して引き続き入力することができる。
【００６５】
なお、前記実施形態では、照度検出部１７からの照度検出信号の信号レベルが第１の照度レベル（レベル１）まで低下したとき、または第２の照度レベル（レベル２）まで低下してキー表示確認のメッセージウインドウＷｍにて「はい」Ｙをタッチしたときに、実装のキー入力部１４に替わるソフトキー（例えば、キーボードＫａ）を、バックライト付きのタッチパネル式表示部１６に表示されている動作状況に応じた画面（例えば、検索語入力画面Ｇａ）上の一部に重ねて表示させる構成とした。
【００６６】
これに対し、前記検索語入力画面Ｇａに対応して表示されるキーボードＫａ、前記検索結果表示画面Ｇｂに対応して表示される検索結果操作キーＫｂ、前記電卓画面に対応して表示される計算機キーは、当該各画面上の一部の領域に重ねて表示させるのではなく、バックライト付きの手書き入力部１５に表示させる構成とする。
【００６７】
図７は、前記電子辞書装置１０の表示処理に伴い周辺環境の照度が低下したときの検索語入力画面Ｇａに対応した手書き入力部１５によるキーボードＫａの表示動作を示す図である。
【００６８】
これによれば、実装のキー入力部１４の入力を禁止して前記キーボードＫａ（ソフトキー）を表示させたときにも、前記検索語入力画面Ｇａ（動作画面）の一部の領域が同キーボードＫａによって隠されることがなくなるので、照度低下に伴いソフトキーに切り替えたときのユーザ操作性を大幅に向上できる。
【００６９】
したがって、前記構成の電子辞書装置１０のソフトキー表示機能によれば、照度検出部１７により検出される周辺環境の明るさがキー入力部１４の各キートップが見えなくなる明るさ（第１の照度レベル）まで低下すると、そのときの動作状況に応じて必要な種類のキーを配列したソフトキーがバックライト付きのタッチパネル式表示部１６に表示される。
【００７０】
例えば、検索語入力画面Ｇａが表示された検索語の入力処理中には、前記キー入力部１４の文字入力キー１４ａに相当するソフトキー（キーボードＫａ）が表示され、検索結果表示画面Ｇｂが表示された説明情報の閲覧中には、画面スクロールやジャンプ辞書検索を指示するための検索結果操作キーＫｂが表示され、電卓画面が表示された計算作業中には、テンキーと各種演算キーからなる計算機キーが表示される。
【００７１】
このため、前記キー入力部１４によるキー入力途中にあって、周辺環境が暗くなり各キートップが見えなくなっても、バックライト付きのタッチパネル式表示部１６に表示させたソフトキーを使用してタッチ操作による任意のキー入力を継続して行うことが可能となる。
【００７２】
また、前記照度検出部１７により検出される周辺環境の明るさがキー入力部１４の各キートップが見難くなる明るさ（第２の照度レベル）まで低下したときには、前記バックライト付きのタッチパネル式表示部１６に対して、ソフトキーを表示させるか否かの確認メッセージを記述したメッセージウインドウＷｍが表示される。そして、このメッセージウインドウＷｍ内の「はい」Ｙがタッチされると、前記同様に、そのときの動作状況に応じて必要な種類のキーを配列したソフトキーがバックライト付きのタッチパネル式表示部１６に表示され、「いいえ」Ｎがタッチされると、キー入力部１４からのキー入力を有効にした通常の入力状態が継続される。
【００７３】
このため、周辺環境が暗くなりキー入力部１４が見難い状態となったとしても未だ見えるときには、ユーザの判断で、同キー入力部１４を使用した通常の入力操作を継続するか、バックライト付きのタッチパネル表示部１６にソフトキーを表示させて入力操作を継続するかを決定できる。
【００７４】
なお、前記各実施形態において記載した電子辞書装置１０による各処理の手法、すなわち、図３のフローチャートに示す表示処理などの各手法は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、バックライト付きのタッチパネル式表示部１６（１５）を備えた電子機器のコンピュータは、この外部記憶媒体２３に記憶されたプログラムを記憶装置（２２）に読み込み、この読み込んだプログラムによって動作が制御されることにより、前記各実施形態において説明した周辺照度の低下に応じたソフトキー表示機能を実現し、前述した手法による同様の処理を実行することができる。
【００７５】
また、前記各手法を実現するためのプログラムのデータは、プログラムコードの形態としてネットワークＮ上を伝送させることができ、このプログラムデータを、ネットワークＮに接続されたバックライト付きのタッチパネル式表示部１６（１５）を備えた電子機器のコンピュータに通信制御部（２５）によって取り込むことで、前述した周辺照度の低下に応じたソフトキー表示機能を実現することもできる。
【００７６】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００７７】
１０  …電子辞書装置（電子機器）
１１  …本体ケース
１２  …蓋体ケース
１３  …ヒンジ部
１４  …キー入力部（キーボード）
１４ａ…文字入力キー
１４ｂ…辞書指定キー
１４ｃ…「訳／決定」キー
１４ｄ…「戻る」キー
１４ｅ…カーソルキー
１５  …手書き入力部
１５ｄ…カラー液晶表示部（バックライト付き）
１５ｔ…透明タッチパネル
１６  …タッチパネル式表示部
１６ｄ…カラー液晶表示部（バックライト付き）
１６ｔ…透明タッチパネル
１７  …照度検出部（照度センサ）
２１  …ＣＰＵ
２２  …主記憶装置
２２ａ…装置制御プログラム
２２ｂ…辞書データベース
２３  …外部記憶媒体
２４  …記憶媒体読み書き部
２５  …外部インターフェイス
２６  …ＲＡＭ
２６ａ…表示データメモリ
２６ｂ…照度比較データメモリ
３０  …Ｗｅｂサーバ
Ｇａ  …検索語入力画面
Ｇｂ  …検索結果表示画面
Ｋａ  …キーボード
Ｋｂ  …検索結果操作キー
Ｗｍ  …メッセージウインドウ
【図１】
2012033027.tif 000003
【図２】
2012033027.tif 000004
【図３】
2012033027.tif 000005
【図４】
2012033027.tif 000006
【図５】
2012033027.tif 000007
【図６】
2012033027.tif 000008
【図７】
2012033027.tif 000009